(57)【特許請求の範囲】
【請求項１】
ディスプレイの表示画面に輝度を変化させながら視標を段階的に点滅表示させることにより提示して該視標のちらつきが知覚されたときの輝度からフリッカー感度を求めるフリッカー感度分布測定装置であって、被検者の顔面を固定する台座と前記表示画面を該台座に向けて配置されたディスプレイと該ディスプレイの表示画面に視標を提示させて該視標のちらつきが知覚されたときのフリッカー感度を求める制御装置と該視標のちらつきが知覚されたことを知らせる知覚信号を出力する知覚装置とからなり、当該制御装置には視標が明るいときの輝度と視標が暗いときの輝度とから得られる平均輝度が前記視標の背景となる表示画面の輝度と等しい輝度となる視標の一点滅を構成する各輝度を段階的に記憶した輝度記憶手段と、前記視標を提示させる表示画面の各部位を指定する座標を複数記憶した部位記憶手段と、前記知覚装置からの知覚信号を受けて視標のちらつきが知覚されたときの一点滅を構成する視標が明るいときの輝度と視標が暗いときの輝度とからフリッカー感度を演算する演算手段とが設けられており、前記輝度記憶手段から一点滅を構成する視標が明るいときの輝度と視標が暗いときの輝度とを順次読み込んで表示画面の各部位に視標を点滅表示させることを特徴とするフリッカー感度分布測定装置。
【請求項２】
フリッカー感度は、知覚された視標の一点滅を構成する視標が明るいときの輝度と視標が暗いときの輝度とから該一点滅の変調度を算出し、該変調度をデシベル変換することにより求められる請求項１記載のフリッカー感度分布測定装置。
【請求項３】
ディスプレイの表示画面に輝度を変化させながら視標を段階的に点滅表示させることにより提示して該視標のちらつきが知覚されたときの輝度からフリッカー感度を求めるフリッカー感度分布測定プログラムを記録したコンピューター読み取り可能な記録媒体であって、一点滅を構成する視標が明るいときの輝度と視標が暗いときの輝度とから得られる平均輝度が前記視標の背景となる表示画面の輝度と等しい輝度となる視標の一点滅を段階的に変化させながら表示画面の部位に視標を点滅表示させる手順と、視標のちらつきが知覚されたときの一点滅を構成する視標が明るいときの輝度と視標が暗いときの輝度とからフリッカー感度を演算する手順と、をコンピューターに実行させるフリッカー感度分布測定プログラムを記録したコンピューター読み取り可能な記録媒体。
【請求項４】
フリッカー感度を演算する手順が、知覚された一点滅を構成する視標が明るいときの輝度Ｉmax と視標が暗いときの輝度Ｉmin とから変調度Ｍ＝１００×（Ｉmax −Ｉmin ）／（Ｉmax ＋Ｉmin ）を演算し、該変調度Ｍを１０×log（１００／Ｍ）に代入してフリッカー感度を演算する請求項３記載のフリッカー感度分布測定プログラムを記録したコンピューター読み取り可能な記録媒体。
【発明の詳細な説明】
【０００１】
【発明の属する技術分野】
本発明は、被検者の視機能を調べるフリッカー感度分布測定装置及びフリッカー感度分布測定プログラムを記録したコンピューター読み取り可能な記録媒体に関するものである。
【０００２】
【従来の技術】
周知の通り、被検者の視機能を調べる方法として、視野内の各部位で視標を点滅させ、一点を見つめた固視状態での被検者に視標のちらつきの有無を判断させて各部位での閾値を求め、当該各部位に対応した網膜の視機能を数値として表すフリッカー感度測定方法が採られている。この方法を採用した装置として、視標の点滅を、背景となるドーム凹面の複数部位に発光ダイオードを埋め込んで電気的変調によって当該発光ダイオードを点滅発光させることにより実現したフリッカー感度測定装置や、光源と眼の間の光路上に置かれたセクターディスクや偏光板を回転させる等の機械的変調によって背景となるドーム凹面の部位に視標を点滅させることにより実現したフリッカー感度測定装置等がある。
【０００３】
【発明が解決しようとする課題】
しかし、従来のフリッカー感度測定装置は、視野内で点灯させたり、背景となる視野内に光束を照射するものであるため、一様な輝度を有する変化のない視野内の一部位に視標が現れると、当該一部位の輝度は背景が有する輝度に視標が有する輝度を加えた輝度となり、一般に視標が背景より明るくなり、視標のちらつきの有無を判断する前に被検者が視標を認識してしまい、従って、視標が被検者によって常に認識された状態でその視標のちらつきの有無が判断されていた。このような状態でのフリッカー感度測定は、固視状態の被検者の視線が視野内に現れた視標に影響されて視標が現れた部位に視線が移動するため、正確なフリッカー感度分布を測定することができないという問題点があった。さらに、固視状態にある被検者の視線が、視標が現れる度に該視標が現れた部位に移動するこのような測定状態では、被検者は常に視標に注意を集中させてしまい固視が不安定になって疲労し易く、多数の部位での測定には時間を要するため疲れた状態で測定されてしまい、得られた測定データの信頼性が低下するという問題点があった。
【０００４】
本発明者は、被検者に視標を認識させることなく背景となる視野内に視標を現し、被検者が視標のちらつきを認識することにより視標が現れた部位に該視標があると知覚できる視標の点滅方法を採れば、被検者は固視状態を維持した状態で視標のちらつきを知覚することができ、前記問題点を解決することができるという着想を得、その具現化をはかることを技術的課題として研究、実験を重ねた結果、視標を点滅させる視標が明るいときの輝度（以下、単に「明輝度」ともいう。）と視標が暗いときの輝度（以下、単に「暗輝度」ともいう。）とから得られる平均の輝度を背景となる視野の輝度と等しくすれば、明輝度と暗輝度の繰り返しによって起こるちらつきを知覚できない被検者には視標の輝度が明暗の輝度の平均の輝度、即ち、背景となる視野の輝度と等しい輝度として映るので背景の中に視標を認識できないという刮目すべき知見を得、前記技術的課題を達成したものである。
【０００５】
【課題を解決するための手段】
前記技術的課題は、次の通りの本発明によって解決できる。
即ち、本発明に係るフリッカー感度分布測定装置は、ディスプレイの表示画面に輝度を変化させながら視標を段階的に点滅表示させることにより提示して該視標のちらつきが知覚されたときの輝度からフリッカー感度を求めるフリッカー感度分布測定装置であって、被検者の顔面を固定する台座と前記表示画面を該台座に向けて配置されたディスプレイと該ディスプレイの表示画面に視標を提示させて該視標のちらつきが知覚されたときのフリッカー感度を求める制御装置と該視標のちらつきが知覚されたことを知らせる知覚信号を出力する知覚装置とからなり、当該制御装置には視標が明るいときの輝度と視標が暗いときの輝度とから求められる平均輝度が前記視標の背景となる表示画面の輝度と等しい輝度となる視標の一点滅を構成する各輝度を段階的に記憶した輝度記憶手段と、前記視標を提示させる表示画面の各部位を指定する座標を複数記憶した部位記憶手段と、前記知覚装置からの知覚信号を受けて視標のちらつきが知覚されたときの一点滅を構成する視標が明るいときの輝度と視標が暗いときの輝度とからフリッカー感度を演算する演算手段とが設けられており、前記輝度記憶手段から一点滅を構成する視標が明るいときの輝度と視標が暗いときの輝度とを順次読み込んで表示画面の各部位に視標を点滅表示させるものである。
【０００６】
また、本発明は、前記フリッカー感度分布測定装置において、フリッカー感度は、知覚された視標の一点滅を構成する視標が明るいときの輝度と視標が暗いときの輝度とから該一点滅の変調度を算出し、該変調度をデシベル変換することにより求められるものである。
【０００７】
また、本発明に係るフリッカー感度分布測定プログラムを記録したコンピューター読み取り可能な記録媒体は、ディスプレイの表示画面に輝度を変化させながら視標を段階的に点滅表示させることにより提示して該視標のちらつきが知覚されたときの輝度からフリッカー感度を求めるフリッカー感度分布測定プログラムを記録した記録媒体であって、一点滅を構成する視標が明るいときの輝度と視標が暗いときの輝度とから得られる平均輝度が前記視標の背景となる表示画面の輝度と等しい輝度となる視標の一点滅を段階的に変化させながら表示画面の部位に視標を点滅表示させる手順と、視標のちらつきが知覚されたときの一点滅を構成する視標が明るいときの輝度と視標が暗いときの輝度とからフリッカー感度を演算する手順と、をコンピューターに実行させるものである。
【０００８】
さらに、本発明は、フリッカー感度分布測定プログラムを記録したコンピューター読み取り可能な記録媒体において、フリッカー感度を演算する手順が、知覚された一点滅を構成する視標が明るいときの輝度Ｉmax と視標が暗いときの輝度Ｉmin とから変調度Ｍ＝１００×（Ｉmax −Ｉmin ）／（Ｉmax ＋Ｉmin ）を演算し、該変調度Ｍを１０×log（１００／Ｍ）に代入してフリッカー感度を演算するものである。
【０００９】
【発明の実施の形態】
以下、本発明の実施の形態を図面に基づき説明する。
【００１０】
実施の形態１．
【００１１】
図１は本発明に係るフリッカー感度分布測定装置の斜視図、図２は図１に示すフリッカー感度分布測定装置のディスプレイの表示画面に提示される視標を説明する図であり、視標を点線にて図示してある。また、図３は検査者がフリッカー感度分布測定装置を操作して被検者の固視を監視するためのモニター画面、図４は図１に示すフリッカー感度分布測定装置のブロック図、図５は図４に示す記憶部のメモリーブロック図、図６は図２に示す視標が提示される部位を説明する図、図７及び図８はフリッカー感度分布測定プログラムの一例を示すフローチャート図である。これらの図において、１は視標を点滅表示させるディスプレイ、２はディスプレイ１の表示画面（背景）３を囲むように設けられた角筒状暗箱、４は暗箱２の開口に設けられた被検者の顔面を固定する台座であり、台座４は被検者の顎を載せる顎台５と額を当てる額当６とからなり、顎台５を上下動できるようになっている。また、ディスプレイ１の上枠中央には被検者の固視を監視する赤外線ビデオカメラ７が取り付けてあり、前記ディスプレイ１と前記赤外線ビデオカメラ７とはディスプレイ１の近傍に配置された制御装置８に接続されている。この制御装置８には、さらに、視標のちらつき（点滅）を知覚したことを制御装置８に知らせるために被検者が操作する知覚装置９とモニター画面10a （図３参照）を表示させるモニター表示装置10（図４参照）と検査者がモニター表示装置10のモニター画面10a を見ながら被検者のフリッカー感度を測定するために操作する操作部11とが接続されている。前記モニター表示装置10のモニター画面10aには、検査番号、氏名、ＩＤ番号、受診日、対象眼等の被検者の情報を表示する情報ウィンドウ10b 、被検者の固視状態を監視する固視眼ウィンドウ10c 、測定のためのコマンドを指示する操作アイコン10d及び各部位のフリッカー感度を表示する表示画面ウィンドウ10e が表示される。なお、ａはディスプレイ１の表示画面３に表示された固視標、ｂは視標、ｃは視標ｂが表示される部位である。
【００１２】
前記制御装置８は、図４に示すように、コマンドを実行して各種データの流れを制御する制御部12と、該制御部12と周辺装置であるディスプレイ１、赤外線ビデオカメラ７、知覚装置９、モニター表示装置10及び操作部11とを接続する入出力インターフェース13と、被検者を特定するための検査番号、氏名、ＩＤ番号、受診日、対象眼等の情報データやディスプレイ１に固視標ａや視標ｂを提示するためのデータやフリッカー感度分布測定プログラムが記憶された記憶部14と、知覚装置９からの被検者が知覚した知覚信号を受けてそのときのちらつきから閾値を求め、フリッカー感度を算出する演算部（演算手段）15と、記録媒体へのデータの書き出し、記録媒体からのデータの読み込みを行うドライブ部16とから構成されている。
【００１３】
制御部12は、検査者が操作部11から入力した被検者の情報を記憶部14に記憶させると共にモニター画面10aの情報ウィンドウ10b に表示させ、検査者の検査開始命令を受けて予め記憶部14に記憶されているフリッカー感度分布測定プログラムに従ってディスプレイ１の所定の位置に固視標ａを表示させると共に視標ｂを点滅表示（提示）させるための制御をする。また、ビデオカメラ７から入力される画像データをモニター画面10aの固視眼ウィンドウ10c に表示させ、知覚装置９からの知覚信号を受けて知覚されたちらつきの明輝度と暗輝度とのデータを記憶部14から演算部15へ格納して該演算部15においてフリッカー感度を算出した後、その値をモニター画面10aの表示画面ウィンドウ10e の視標ｂが提示されていた部位に表示させると共に記憶部14に格納し、検査結果データをドライブ部16に装着された記録媒体へ書き出すための制御をする。
【００１４】
記憶部14には、図５の（ａ）に示すように、視標ｂを提示する部位ｃのＸ−Ｙ座標データが記憶された部位メモリー（部位記憶手段）14aと、被検者が視標ｂを知覚したちらつきに基づき算出されたフリッカー感度を前記部位メモリー14a に対応させて格納する感度メモリー14b と、図５の（ｂ）に示すように、視標ｂの点滅の速さを決める周波数が複数記憶された周波数メモリー14cと、図５の（ｃ）に示すように、視標ｂを点滅させる対の明輝度Ｉmax と暗輝度Ｉmin とが、最も弱いちらつき度合いである最低の変調度から最も強いちらつき度合いである最大の変調度に対応するように段階的に順に記憶された輝度メモリー（輝度記憶手段）14dと、図７，８に示すフリッカー感度分布測定プログラムが記憶されたプログラムメモリー14e （図４参照）と、被検者情報が格納される情報メモリー14f （図４参照）とが設けられている。
【００１５】
視標ｂが提示される表示画面（背景）３の輝度Ｉは予め測定されており、前記対の明輝度Ｉmax と暗輝度Ｉmin との値は、
（Ｉmax ＋Ｉmin ）／２＝Ｉ
となるようにちらつきを現す視標ｂの輝度が設定されている。
【００１６】
演算部15では、乱数を発生させて視標ｂを表示する部位ｃの順番を算出すると共に、被検者が視標ｂのちらつきを知覚したときのちらつきを現す明・暗輝度Ｉmax・Ｉmin から閾値を算出し、得られた閾値からフリッカー感度を算出する演算を実行する。
【００１７】
即ち、知覚されたちらつきの対の明輝度Ｉmax と暗輝度Ｉmin とから、変調度である閾値を算出、
閾値Ｍ＝１００×（Ｉmax −Ｉmin ）／（Ｉmax ＋Ｉmin ）
得られた閾値Ｍを、
フリッカー感度ｄＢ＝１０×log （１００／Ｍ）
に代入してデシベル変換してフリッカー感度のｄＢを得る。
【００１８】
なお、フリッカー感度分布測定装置は、パーソナルコンピューターによって構成することができ、この場合のフリッカー感度分布測定装置は制御装置８としてパーソナルコンピューターを、ディスプレイ１としてＣＲＴを、操作部11としてキーボードを、知覚装置９としてマウスを使用すればよい。
【００１９】
次に、図７〜図８に示すフリッカー感度分布測定プログラムに従って、フリッカー感度分布測定装置にパーソナルコンピューターを採用したフリッカー感度分布測定方法について説明する。
【００２０】
被検者は暗箱２に向かって座り、顎を顎台５に載せ、額を額当６に当てて顔面を固定する。検査者はキーボード11を操作して、記憶部14のプログラムメモリー14e に記憶されているフリッカー感度分布測定プログラムを起動させる（ステップS1）。
【００２１】
先ず、被検者を特定するために検査番号、氏名、ＩＤ番号、受診日、対象眼等の情報を入力する（ステップS2）。情報の入力が完了すると（ステップS3）、図２に示すように、表示画面３（背景）の中央に固視標ａを表示させる（ステップS4）。被検者の片眼を遮蔽させ、被検眼で表示画面３の中央に提示されている固視標ａを固視するように指示する。
【００２２】
表示画面３には最初、固視標ａのみが提示されており、検査者によりキーボード11から提示開始信号が入力されることによって（ステップS5）、図６に示すように、表示画面上の予め設定された部位（c1〜c25 ）の適当な部位ｃに予め決められた点滅速さで視標ｂが提示される（ステップS6）。
【００２３】
視標ｂの提示方法は、図８に示すように、先ず、記憶部14の周波数メモリー14cに記憶されている周波数（例えば、５Hz，10Hz，20Hz，30Hz）を制御部12に読み込む（ステップS7）。次に、部位c1〜部位c25 のいずれの部位から視標ｂを提示させるかを決定するために、演算部15において乱数を発生させ、記憶部14の部位メモリー14aに記憶された部位c1〜部位c25 のＸ−Ｙ座標データの読み込み順番を決定する（ステップS8）。続いて、記憶部14の輝度メモリー14d の順番に従って最初の部位（例えば、部位c19）に視標ｂを提示させる（例えば、最初に最低の変調度19dBに相当する輝度でちらつかせ、前記周波数（例えば、５Hz）に従って次第に変調度を１dBステップづつ増していき、最大変調度０dB相当する輝度までちらつかせる。）ために、輝度メモリー14dから最初の対の輝度データである明・暗輝度Ｉmax ・Ｉmin を読み込んで前記部位（c19 ）に点滅表示させる（ステップS9）。被検者は固視標ａを固視しつつ、視標ｂのちらつきを知覚すれば、手元のマウス９をクリックするが、制御部12では知覚信号が入力されたか否かを判断しており、マウス９がクリックされて知覚信号が制御部12に入力されると（ステップS10）、知覚信号が入力されたときの明輝度Ｉmax と暗輝度Ｉmin との値が演算部15に読み込まれ、前記演算方法に従って、閾値Ｍが算出され、該閾値Ｍがデシベル変換されてフリッカー感度ｄＢが算出される（ステップS11）。フリッカー感度のｄＢ値が視標ｂが提示されていた部位（c19 ）に対応する感度メモリー14e に格納されると共に、表示画面ウィンドウ10e の所定の位置（c19）に表示される（ステップS12 ）。前記ステップS10 において、知覚信号が入力されなければ、ステップS9での点滅表示が終了したか否かを判断し（ステップS13）、まだであれば、ステップS9へジャンプして輝度メモリー14d から次の対の輝度データである明・暗輝度Ｉmax ・Ｉmin を読み込んで前記周波数で前記部位（c19）に点滅表示させ、前記ステップS13 においてステップS9での点滅表示が終了すれば、知覚されなかったとしてステップS11 へジャンプし、フリッカー感度が算出される（例えば、最も明るい一点滅の輝度を代入する）。ステップS12に続いてステップS9での提示が終了すれば、前記周波数（５Hz）での視標ｂの提示が全ての部位ｃについて実施されたか否かを判断し（ステップS14 ）、まだ終了していなければ、次の部位（例えば、c5）のＸ−Ｙ座標データを読み込んで（ステップS15）ステップS9にジャンプし、視標ｂを提示させる。終了すれば、予め設定されている全ての周波数について実施されたか否かを判断し（ステップS16 ）、全ての周波数について実施されていなければ、ステップS7にジャンプし、実施されていれば、図７に示すように、予め決められた回数検査を実施したか否かを判断し（ステップS17）、実施していなければ、ステップS6にジャンプし、実施されていれば、フリッカー感度分布測定によって得られたデータを処理して（ステップS18 ）プログラムを終了する。
【００２４】
なお、測定中の固視が確実に維持されているかは、赤外線ビデオカメラ７を通して固視眼ウィンドウ10c に表示される画像により、絶えず監視されており、さらに、検査途中のマリオット盲点刺激による応答でも固視の信頼度がチェックされている。
【００２５】
前記フリッカー感度分布測定プログラムにおけるステップS6での提示サブルーチンは、部位25点での一巡の測定であったが、二巡測定して二巡目の提示では、一巡目の検査で測定された閾値を参照して再検査要の部位での視標提示を行い、検査時間を一巡目より短縮するようにしてもよい。
【００２６】
また、前記ステップS18 でのデータ処理サブルーチンでは、適当な回数閾値を測定したそれぞれの検査結果を算術平均してフリッカー感度を求める処理を行ってもよく、測定結果を、一旦パーソナルコンピューターのハードディスクにテキストファイルとして保存し、必要に応じてデータベースファイルや表計算用のスプレッドシートファイルに変換して、後日のデータベース検索や統計処理或いはグラフ化やデータ表示に容易に利用できるようにしてもよく、測定結果を、被検者毎に、記録媒体に書き出すようにしてもよい。
【００２７】
本実施の形態では、視標が明るいときの輝度と視標が暗いときの輝度とから得られる平均輝度が視標ｂの背景となる表示画面３の輝度と等しい輝度となる一点滅を構成する各輝度を変調度に対応させて段階的に記憶した輝度メモリー14d と、視標ｂを提示させる表示画面３の各部位ｃを指定する座標を複数記憶した部位メモリー14a と、マウス９からの知覚信号を受けて視標ｂのちらつきが知覚されたときの一点滅を構成する視標が明るいときの輝度と視標が暗いときの輝度とからフリッカー感度を演算する演算部15とを設け、前記輝度メモリー14dから一点滅を構成する視標が明るいときの輝度と視標が暗いときの輝度とからなる対の輝度を順次読み込んで表示画面の検査部位ｃに視標ｂを段階的に点滅表示させるようにしたので、被検者に視標ｂを認識させることなく検査部位ｃに視標ｂを点滅表示させることができると共に、被検者が固視標ａを固視した状態で視標ｂのちらつきを認識することにより視標ｂが現れた部位ｃに該視標ｂがあると知覚させることができる。
【００２８】
また、コンピューターにより測定できるようにしたので、部位のＸ−Ｙ座標データを変更することによりディスプレイ１の表示画面３の任意の位置に簡単に視標を提示することができ、視標の点滅周波数、変調度、大きさ、形、輝度及び背景の輝度を簡単に変更することができる。さらに、点滅する視標の平均輝度と背景の輝度を等しく保ったままでの、変調度、周波数の変更を簡単に行うことができ、フリッカー感度測定の自動化を極めて容易に達成することができる。
【００２９】
なお、本実施の形態においては、パーソナルコンピューターを採用したが、図４に示すブロック図のように構成されたコンピューターからなる専用医療機器であってもよい。また、フリッカー感度は閾値の逆数から求めるようにしてもよい。さらに、視標を点滅表示させる明るい輝度から暗い輝度までを３つ以上の輝度により一点滅を構成してもよく、即ち、視標の変調形態（方式）としては矩形波、台形波、正弦波、三角波等で行ってもよい。この場合の平均輝度は積分すれば、容易に求めることができる。
【００３０】
なお、本発明に係るフリッカー感度分布測定装置は、本実施の形態におけるフリッカー感度分布測定装置に限定されるものではなく、要旨を逸脱しない範囲で種々の変形例を包含しうるものであり、本実施の形態では、視標の提示方法を極限法によったが、上下法、恒常法或いは調整法でも適応できることはいうまでもない。
【００３１】
実施の形態２．
【００３２】
本実施の形態を前記実施の形態１における図１〜図８を参照して説明する。
【００３３】
本実施の形態におけるフリッカー感度分布測定プログラムを記録したコンピューター読み取り可能な記録媒体は、該記憶媒体に、視標ｂを提示する部位ｃのＸ−Ｙ座標データを記憶させた部位ファイルと、視標ｂの点滅の速さを決める周波数を複数記憶させた周波数ファイルと、視標ｂを点滅させる対の明輝度Ｉmax と暗輝度Ｉmin とを、最も弱いちらつき度合いである最低の変調度から最も強いちらつき度合いである最大の変調度に対応させて段階的に記憶させた輝度ファイルと、図７，８に示すフリッカー感度分布測定プログラムを記憶させたプログラムファイルとが記憶されており、フリッカー感度分布の測定に際しては、図４に示すパーソナルコンピューターのドライブ部16に当該記録媒体を装着して、プログラムファイルに記憶されている前記フリッカー感度分布測定ブログラムを記憶部14のブログラムメモリー14eに格納すると共に、部位ファイルに記憶されている前記Ｘ−Ｙ座標データを部位メモリー14a に格納し、周波数ファイルに記憶されている周波数を周波数メモリー14c に格納し、輝度ファイルに記憶されている前記輝度データを輝度メモリー14dに格納した後、フリッカー感度分布測定ブログラムを起動して前記実施の形態１と同様の方法によりフリッカー感度分布測定を実施するものである。
【００３４】
なお、フリッカー感度分布測定プログラムを記録したコンピューター読み取り可能な記録媒体には、前記プログラムファイルのみ記憶させ、前記部位ファイル、前記周波数ファイル及び前記輝度ファイルをデータファイルとして他の別の記録媒体に記憶させてもよく、前記データファイルのデータは検査条件によって、変更できるようにしてもよい。
【００３５】
また、測定結果を、被検者毎に、記録媒体に書き出すようになっていてもよく、フリッカー感度分布測定に際して、該記録媒体からパーソナルコンピューターへ被検者の情報データ及び前回までの測定データを読み込むようにしてもよい。
【００３６】
本実施の形態では、フロッピーディスク、ＭＯ、ＣＤ−ＲＯＭ、ＣＤ−Ｒ等の記録媒体にフリッカー感度分布測定ブログラムを記憶させてあるので、家庭での測定や学校における集団検診や、眼科臨床においても専門的知識や技術をもたない検査者によるスクリーニングテストでも簡単に精度良く測定結果を得ることができる。また、前記プログラムは、マックＯＳのもとで動くオーサリングツールのディレクターやWindows 95版のディレクターやＣ言語などのプログラム言語でも作成することができるので、汎用性に富んだフリッカー感度分布測定を実施することができる。
【００３７】
【実施例】
【００３８】
図９は実際に測定された被検者のフリッカー感度分布を説明する図であり、表示画面ウィンドウ10e に表示された正常な被検者のフリッカー感度分布図である。そして、図９の（ａ）は周波数５Hz、図９の（ｂ）は周波数10Hz、図９の（ｃ）は周波数20Hz、図９の（ｄ）は周波数30Hzの場合のフリッカー感度分布であり、フリッカー感度が０ｄＢである部位は被検眼のマリオット盲点である。
【００３９】
フリッカー感度分布測定ブログラムはマッキントッシュのディレクターＶer4.0でプログラムを作成し、図９に示す測定結果は、視標の大きさ：背景となるＣＲＴ３（表示画面）から被検眼までの距離25cmに対して、一辺60分（画面の実測値一辺4.5mm）の正方形で点滅表示させ、ＣＲＴ３の輝度45c/m２に対して、明・暗輝度Ｉmax ・Ｉmin データ：90・0.1 ，81・９，74・16，68・23，63・27，59・31，56・34，54・36，52・38，51・39，50・41，49・41，48・42，47.3・42.8，46.8・43.2，46.4・43.7，46.1・43.9，45.9・44.1，45.8・44.3，45.6・44.4（単位：c/m２）を変調度０，１，２，３，４，５，６，７，８，９，10，11，12，13，14，15，16，17，18，19dBに対応させ、最初に最低の変調度19dBに相当する輝度でちらつかせ、周波数に基づく時間の経過に伴って、次第に変調度を１dBステップづつ増していき、最大変調度０dBに相当する輝度までちらつかせた極限法によって得たものである。
【００４０】
なお、異常があれば、０ｄＢに近い値が表示される。また、視標の色は、従来のフリッカー検査では白色光で行われるのが一般的であり、電源が入った状態のＣＲＴ３の明るさを調整して灰色背景上の白黒視標としたが、背景の色に合わせて視標の色を設定してもよい。
【００４１】
【発明の効果】
以上説明した通り、本発明に係るフリッカー感度分布測定装置においては、一点滅を構成する視標が明るいときの輝度と視標が暗いときの輝度とから得られる平均輝度が前記視標の背景となる表示画面の輝度と等しい輝度となる視標を点滅させて該視標のちらつきを被検者に知覚させるようにしたので、被検者が視標のちらつきを知覚できない間は視標を認識することができないから、視標を被検者に認識させることなく背景となる視野内に提示することができ、被検者が視標のちらつきを認識することにより視標が現れた部位に該視標があると知覚させることができるから、被検者の固視状態を維持させることができ、被検者を疲労させることなく精度良くフリッカー感度を求めることができる。
【００４２】
また、本発明に係るフリッカー感度分布測定プログラムを記録したコンピューター読み取り可能な記録媒体においては、視標のちらつきが知覚されたときの一点滅を構成する視標が明るいときの輝度と視標が暗いときの輝度とからフリッカー感度を演算するようにしたので、正確で迅速な検査を実施することができる。
【００４３】
なお、背景の色とは異なる色の視標を用いて背景の色と融合する周波数を求めたり、レーリー均等が起こる色の波長を求める検査に応用することもできる。
【００４４】
従って、本発明の産業上利用性は非常に高いといえる。
【図面の簡単な説明】
【図１】  本発明に係るフリッカー感度分布測定装置の斜視図である。
【図２】  図２は図１に示すフリッカー感度分布測定装置のディスプレイの表示画面に提示される視標を説明する図である。
【図３】  検査者がフリッカー感度分布測定装置を操作して被検者の固視を監視するためのモニター画面である。
【図４】  図１に示すフリッカー感度分布測定装置のブロック図である。
【図５】  図４に示す記憶部のメモリーブロック図である。
【図６】  図２に示す視標が提示される部位を説明する図である。
【図７】  フリッカー感度分布測定プログラムの一例を示すフローチャート図である。
【図８】  フリッカー感度分布測定プログラムの一例を示すフローチャート図である。
【図９】  実際に測定された被検者のフリッカー感度分布を説明する図である。
【符号の説明】
１  ディスプレイ
２  暗箱
３  表示画面
８  制御装置（パーソナルコンピューター）
９  知覚装置（マウス）
１１  操作部（キーボード）
１２  制御部
１４  記憶部
１４ａ  部位メモリー（部位記憶手段）
１４ｂ  感度メモリー
１４ｃ  周波数メモリー
１４ｄ  輝度メモリー（輝度記憶手段）
１４ｅ  プログラムメモリー
１４ｆ  情報メモリー
１５  演算部
ａ  固視標
ｂ  視標
ｃ  部位
【図１】
0004171995.tif 000002
【図２】
0004171995.tif 000003
【図３】
0004171995.tif 000004
【図４】
0004171995.tif 000005
【図５】
0004171995.tif 000006
【図６】
0004171995.tif 000007
【図７】
0004171995.tif 000008
【図８】
0004171995.tif 000009
【図９】
0004171995.tif 000010